(57)【要約】【課題】顔認証機能を備えたビデオカメラシステムにおいて、そのカメラを操作するカメラマンに特有のデータを簡単に取得する。【解決手段】光学系により結像された被写体像を撮像する撮像手段と、所定の操作者が担当する撮影対象者のデータ及び該操作者の顔データが予め登録された記憶手段と、撮像された前記操作者の顔画像と前記予め登録された所定の操作者の顔データとを顔認証する顔認証手段と、前記顔認証により、前記撮像された前記操作者が前記予め登録された所定の操作者と同一人物であると判定された場合に、該所定の操作者が担当する前記撮影対象者のデータを前記記憶手段から呼び出してくる呼出し手段と、を備えたことを特徴とする顔認証機能を備えたビデオカメラシステムを提供する。【選択図】図１
2010081538.tif 000002
【特許請求の範囲】
【請求項１】
光学系により結像された被写体像を撮像する撮像手段と、
所定の操作者が担当する撮影対象者のデータ及び該操作者の顔データが予め登録された記憶手段と、
撮像された前記操作者の顔画像と前記予め登録された所定の操作者の顔データとを顔認証する顔認証手段と、
前記顔認証により、前記撮像された前記操作者が前記予め登録された所定の操作者と同一人物であると判定された場合に、該所定の操作者が担当する前記撮影対象者のデータを前記記憶手段から呼び出してくる呼出し手段と、
を備えたことを特徴とする顔認証機能を備えたビデオカメラシステム。
【請求項２】
請求項１に記載のビデオカメラシステムであって、前記記憶手段には、さらに、前記所定の操作者の前記撮像手段の操作特性データが予め登録されており、前記顔認証により前記撮像された前記操作者が前記予め登録された所定の操作者と同一人物であると判定された場合には、前記呼出し手段は、前記所定の操作者が担当する前記撮影対象者のデータ及び前記所定の操作者の前記撮像手段の操作特性データを前記記憶手段から呼び出してくることを特徴とする顔認証機能を備えたビデオカメラシステム。
【請求項３】
請求項１または２に記載の顔認証機能を備えたビデオカメラシステムであって、前記顔認証により前記撮像された前記操作者が前記予め登録された所定の操作者と同一人物であると判定された場合には、前記撮像手段に設置されたタリーランプを点灯させることを特徴とする顔認証機能を備えたビデオカメラシステム。
【請求項４】
請求項２または３のいずれかに記載の顔認証機能を備えたビデオカメラシステムであって、前記所定の操作者の前記撮像手段の操作特性データは、レンズの操作特性または前記撮像手段を取り付ける雲台のダンパー特性であることを特徴とする顔認証機能を備えたビデオカメラシステム。
【請求項５】
光学系により結像された被写体像を撮像する第１の撮像手段と、
所定の操作者が担当する撮影対象者のデータ及び該操作者の顔データが予め登録された記憶手段と、
前記第１の撮像手段を操作する操作者を撮影する前記第１の撮像手段とは別の第２の撮像手段と、
前記第２の撮像手段によって撮像された前記操作者の顔画像と前記予め登録された所定の操作者の顔データとを顔認証する顔認証手段と、
前記顔認証により、前記第２の撮像手段によって撮像された前記操作者が前記予め登録された所定の操作者と同一人物であると判定された場合に、該所定の操作者が担当する前記撮影対象者のデータを前記記憶手段から呼び出してくる呼出し手段と、
を備えたことを特徴とする顔認証機能を備えたビデオカメラシステム。
【請求項６】
請求項５に記載のビデオカメラシステムであって、前記記憶手段には、さらに、前記所定の操作者の前記第１の撮像手段の操作特性データが予め登録されており、前記顔認証により前記第２の撮像手段によって撮像された前記操作者が前記予め登録された所定の操作者と同一人物であると判定された場合には、前記呼出し手段は、前記所定の操作者が担当する前記撮影対象者のデータ及び前記所定の操作者の前記第１の撮像手段の操作特性データを前記記憶手段から呼び出してくることを特徴とする顔認証機能を備えたビデオカメラシステム。
【請求項７】
請求項５または６に記載の顔認証機能を備えたビデオカメラシステムであって、前記顔認証により前記撮像された前記操作者が前記予め登録された所定の操作者と同一人物であると判定された場合には、前記第１の撮像手段に設置されたタリーランプを点灯させることを特徴とする顔認証機能を備えたビデオカメラシステム。
【請求項８】
請求項６または７のいずれかに記載の顔認証機能を備えたビデオカメラシステムであって、前記所定の操作者の前記第１の撮像手段の操作特性データは、レンズの操作特性または前記第１の撮像手段を取り付ける雲台のダンパー特性であることを特徴とする顔認証機能を備えたビデオカメラシステム。
【発明の詳細な説明】
【技術分野】
【０００１】
本発明は、顔認証機能を備えたビデオカメラシステムに係り、特に、カメラが備えた顔認証機能を用いて、そのカメラを操作するカメラマンに固有のデータを簡単に取得するための技術に関する。
【背景技術】
【０００２】
従来、人間の顔や虹彩、指紋あるいは声紋等の生体情報を用いて個人を特定する人物認証システムが知られており、様々な分野に応用されている。
【０００３】
例えば、建物に設置された防犯カメラにより撮影された映像に含まれる顔が、顔画像データベースに登録された顔画像と一致するか否かを判定して、不審者の侵入を防ぐ防犯システム、あるいは監視カメラシステムなどが知られている。
【０００４】
また、例えば、生体情報を用いて特定の人物の照合を行い、特定の撮影対象者の映像として最適な映像を継続的に撮影するようにした映像撮影システムが知られている（例えば、特許文献１等参照）。
【０００５】
また、テレビ番組の撮影において、あるカメラマンが担当する撮影対象者のデータを予めテレビカメラシステムのメモリに登録しておき、実際にカメラマンが撮影を行うときに、メモリからそれらの登録されたデータを呼び出して用いることが行われている。またこのとき、そのカメラマンによるテレビカメラの操作特性、例えば、テレビカメラのズームやフォーカスの操作部を操作したとき、その操作量に対応して、ズームレンズやフォーカスレンズが実際にどのように動くかについては、カメラマン毎に好みがあり、そのカメラマン毎に特有の操作特性に関するデータも、同時に予めカメラシステムに登録しておいて、これを呼び出して用いるようにすることもできる。
【０００６】
そして、その番組担当のカメラマンがテレビカメラを使用するとき、テレビカメラシステムがそのカメラマンを認識する方法として、例えば、カメラマン個人を特定する情報が記録されたＩＤカード等をシステムに読み込ませるようにしている。
【特許文献１】特開２００７−６７５１０号公報
【発明の開示】
【発明が解決しようとする課題】
【０００７】
しかしながら、上記従来のように、予めシステムに登録されたそのカメラマンが担当する撮影対象者のデータやカメラマン固有の操作特性を呼び出す際、ＩＤカードをシステムに読み込ませたりすることなどによってカメラマンを特定する方法では、ＩＤカードによる入力装置が必要であり、またＩＤカードを作成する必要があるばかりか、カメラマンは撮影時には常にＩＤカードを所持していなければならず面倒であるという問題がある。
【０００８】
また、テレビカメラシステムが上述したような顔認証機能を有していれば、上記ＩＤカードに替えてこの顔認証機能を利用することも考えられる。
【０００９】
本発明は、このような事情に鑑みてなされたもので、顔認証機能を備えたビデオカメラシステムにおいて、そのカメラを操作するカメラマンに特有のデータを簡単に取得することができる顔認証機能を備えたビデオカメラシステムを提供することを目的とする。
【課題を解決するための手段】
【００１０】
前記目的を達成するために、請求項１に記載の発明は、光学系により結像された被写体像を撮像する撮像手段と、所定の操作者が担当する撮影対象者のデータ及び該操作者の顔データが予め登録された記憶手段と、撮像された前記操作者の顔画像と前記予め登録された所定の操作者の顔データとを顔認証する顔認証手段と、前記顔認証により、前記撮像された前記操作者が前記予め登録された所定の操作者と同一人物であると判定された場合に、該所定の操作者が担当する前記撮影対象者のデータを前記記憶手段から呼び出してくる呼出し手段と、を備えたことを特徴とする顔認証機能を備えたビデオカメラシステムを提供する。
【００１１】
これにより、ビデオカメラシステムが顔認証機能を備えている場合には、番組撮影時に必要とするその操作者（カメラマン）が担当する撮影対象者のデータを簡単に取得することができる。
【００１２】
また、請求項２に示すように、請求項１に記載のビデオカメラシステムであって、前記記憶手段には、さらに、前記所定の操作者の前記撮像手段の操作特性データが予め登録されており、前記顔認証により前記撮像された前記操作者が前記予め登録された所定の操作者と同一人物であると判定された場合には、前記呼出し手段は、前記所定の操作者が担当する前記撮影対象者のデータ及び前記所定の操作者の前記撮像手段の操作特性データを前記記憶手段から呼び出してくることを特徴とする。
【００１３】
これにより、ビデオカメラシステムが顔認証機能を備えている場合には、その操作者（カメラマン）に特有のカメラの操作特性データを簡単に取得することができる。
【００１４】
また、請求項３に示すように、請求項１または２に記載の顔認証機能を備えたビデオカメラシステムであって、前記顔認証により前記撮像された前記操作者が前記予め登録された所定の操作者と同一人物であると判定された場合には、前記撮像手段に設置されたタリーランプを点灯させることを特徴とする。
【００１５】
これにより、その操作者が認定されたことを容易に確認することができる。
【００１６】
また、請求項４に示すように、請求項２または３のいずれかに記載の顔認証機能を備えたビデオカメラシステムであって、前記所定の操作者の前記撮像手段の操作特性データは、レンズの操作特性または前記撮像手段を取り付ける雲台のダンパー特性であることを特徴とする。
【００１７】
これにより、操作者は、その担当の撮像手段の操作が容易となる。
【００１８】
また、同様に前記目的を達成するために、請求項５に記載の発明は、光学系により結像された被写体像を撮像する第１の撮像手段と、所定の操作者が担当する撮影対象者のデータ及び該操作者の顔データが予め登録された記憶手段と、前記第１の撮像手段を操作する操作者を撮影する前記第１の撮像手段とは別の第２の撮像手段と、前記第２の撮像手段によって撮像された前記操作者の顔画像と前記予め登録された所定の操作者の顔データとを顔認証する顔認証手段と、前記顔認証により、前記第２の撮像手段によって撮像された前記操作者が前記予め登録された所定の操作者と同一人物であると判定された場合に、該所定の操作者が担当する前記撮影対象者のデータを前記記憶手段から呼び出してくる呼出し手段と、を備えたことを特徴とする顔認証機能を備えたビデオカメラシステムを提供する。
【００１９】
これにより、操作者は、第１の撮像手段を操作したまま第２の撮像手段で自らを撮像することができ、番組撮影時に必要とするその操作者が担当する撮影対象者のデータを簡単に取得することができる。
【００２０】
また、請求項６に示すように、請求項５に記載のビデオカメラシステムであって、前記記憶手段には、さらに、前記所定の操作者の前記第１の撮像手段の操作特性データが予め登録されており、前記顔認証により前記第２の撮像手段によって撮像された前記操作者が前記予め登録された所定の操作者と同一人物であると判定された場合には、前記呼出し手段は、前記所定の操作者が担当する前記撮影対象者のデータ及び前記所定の操作者の前記第１の撮像手段の操作特性データを前記記憶手段から呼び出してくることを特徴とする。
【００２１】
これにより、操作者は、第１の撮像手段を操作したまま第２の撮像手段で自らを撮像することができ、その操作者に特有のカメラの操作特性データを簡単に取得することができる。
【００２２】
また、請求項７に示すように、請求項５または６に記載の顔認証機能を備えたビデオカメラシステムであって、前記顔認証により前記撮像された前記操作者が前記予め登録された所定の操作者と同一人物であると判定された場合には、前記第１の撮像手段に設置されたタリーランプを点灯させることを特徴とする。
【００２３】
これにより、その操作者が認定されたことを容易に確認することができる。
【００２４】
また、請求項８に示すように、請求項６または７のいずれかに記載の顔認証機能を備えたビデオカメラシステムであって、前記所定の操作者の前記第１の撮像手段の操作特性データは、レンズの操作特性または前記第１の撮像手段を取り付ける雲台のダンパー特性であることを特徴とする。
【００２５】
これにより、操作者は、その担当の撮像手段の操作が容易となる。  
【発明の効果】
【００２６】
以上説明したように、本発明によれば、ビデオカメラシステムが顔認証機能を備えている場合には、番組撮影時に必要とするその操作者（カメラマン）が担当する撮影対象者のデータを簡単に取得することができる。また、その操作者の撮像手段の操作特性データを予め登録することにより、その操作者に特有のカメラの操作特性データを簡単に取得することができる。
【発明を実施するための最良の形態】
【００２７】
以下、添付図面を参照して、本発明に係る顔認証機能を備えたビデオカメラシステムについて詳細に説明する。
【００２８】
本実施形態のビデオカメラシステムは、顔認証機能を備えており、あるカメラマンが担当する撮影対象者の顔画像等のデータとともにそのカメラマンの顔画像及びそのカメラマンに特有のビデオカメラの操作特性データ等をメモリ（記憶装置）に登録しておき、ビデオカメラによりカメラマンの顔を撮影してそれが予め登録されているカメラマンの顔と一致すると認証された場合に、そのカメラマンが担当する撮影対象者の顔画像等のデータやそのカメラマンに特有のビデオカメラの操作特性データ等をメモリ（記憶装置）から呼び出してシステム上のＲＡＭ等のメモリに展開して、これらのデータを用いて撮影を行うようにするものである。
【００２９】
図１は、本発明に係る顔認証機能を備えたビデオカメラシステムの全体構成を示したブロック図である。このビデオカメラシステムは、例えば、放送用テレビカメラでの撮影に用いられる撮像システムである。
【００３０】
図１に示すように、本実施形態のビデオカメラシステム１は、テレビカメラ１０、画像処理ユニット１８及び操作部２０等を有して構成されている。
【００３１】
テレビカメラ１０は、ハイビジョンテレビ［ＨＤ（High Definition)ＴＶ］方式に対応したＨＤカメラからなるカメラ本体１２と、カメラ本体１２のレンズマウントに装着される撮影レンズ（光学系）を備えたレンズ装置１４とから構成される。
【００３２】
カメラ本体１２は、旋回方向（パン）及び上下傾動方向（チルト）に移動可能に、雲台２２上に支承されている。
【００３３】
カメラ本体１２には、撮像素子（例えばＣＣＤ）や所要の信号処理回路等が搭載されており、レンズ装置１４の撮影レンズにより結像された像は、撮像素子により光電変換された後、信号処理回路によって所要の信号処理が施されてＨＤＴＶ方式の映像信号（ＨＤＴＶ信号）として、カメラ本体１２の映像信号出力端子等から外部に出力される。
【００３４】
レンズ装置１４は、カメラ本体１２のレンズマウントに装着される撮影レンズ（ズームレンズ）２４を備えている。撮影レンズ２４により、被写体１６がカメラ本体１２の撮像素子の撮像面に結像されるようになっている。撮影レンズ２４には、図示を省略するが、その構成部としてフォーカスレンズ群、ズームレンズ群、絞りなどの撮影条件を調整するための可動部が設けられており、それらの可動部は、モータ（サーボ機構）によって電動駆動されるようになっている。例えば、フォーカスレンズ群やズームレンズ群は光軸方向に移動し、フォーカスレンズ群が移動することによってフォーカス（被写体距離）調整が行われ、またズームレンズ群が移動することによって焦点距離（ズーム倍率）調整が行われる。
【００３５】
なお、オートフォーカスに関するシステムにおいては、少なくともフォーカスレンズ群が電動で駆動できればよく、その他の可動部は手動でのみ駆動可能であってもよい。また、所定の可動部を操作者の操作に従って電動駆動する場合には、図示しない操作手段（レンズ装置１４に接続されるコントローラの操作手段等）から操作者の操作に従って出力されるコントロール信号に基づいて可動部の動作が制御されるが詳細は省略する。
【００３６】
また、レンズ装置１４には、ＡＦユニット２６及び図示しないレンズＣＰＵ等が搭載されている。レンズＣＰＵはレンズ装置１４全体を統括制御するものである。また、ＡＦユニット２６は、図示を省略するが、ＡＦ処理部、ＡＦ用撮像回路等から構成されている。ＡＦ用撮像回路はＡＦ処理用の映像信号を取得するためにレンズ装置１４に配置されており、撮像素子ＣＣＤ等の撮像素子（ＡＦ用撮像素子という）やＡＦ用撮像素子の出力信号を所定形式の映像信号として出力する処理回路等を備えている。なお、ＡＦ用撮像回路から出力される映像信号は輝度信号である。
【００３７】
ＡＦ用撮像素子の撮像面には、撮影レンズ２４の光路上に配置されたハーフミラー等によってカメラ本体１２の撮像素子に入射する被写体光から分岐された被写体光が結像するようになっている。ＡＦ用撮像素子の撮像エリアに対する撮影範囲及び被写体距離（ピントが合う被写体の距離）は、カメラ本体１２の撮像素子の撮像エリアに対する撮影範囲及び被写体距離に一致するように構成されており、ＡＦ用撮像素子により取り込まれる被写体画像は、カメラ本体１２の撮像素子により取り込まれる被写体画像と一致している。なお、両者の撮影範囲に関しては完全に一致している必要はなく、例えば、ＡＦ用撮像素子の撮影範囲の方がカメラ本体１２の撮像素子の撮影範囲を包含する大きな範囲であってもよい。
【００３８】
ＡＦ処理部は、ＡＦ用撮像回路から映像信号を取得し、その映像信号に基づいて被写体画像のコントラストの高低を示す焦点評価値を算出する。例えば、ＡＦ用撮像素子から得られた映像信号の高域周波数成分の信号をハイパスフィルタによって抽出した後、その高域周波数成分の信号のうちＡＦの対象とするＡＦエリアに対応する範囲の信号を１画面（１フレーム）分ずつ積算する。このようにして１画面分ごとに得られる積算値は被写体画像のコントラストの高低を示し、焦点評価値としてレンズＣＰＵに与えられる。
【００３９】
レンズＣＰＵは、ＡＦエリアの範囲（輪郭）を示すＡＦ枠の情報（ＡＦ枠情報）を、後述するように操作部２０から画像処理ユニット１８を介して取得し、そのＡＦ枠情報により指定されたＡＦ枠内の範囲をＡＦエリアとしてＡＦ処理部に指定する。そして、そのＡＦエリア内の画像（映像信号）により求められる焦点評価値をＡＦ処理部から取得する。
【００４０】
このようにしてＡＦ用撮像回路から１画面分の映像信号が取得されるごとに（ＡＦ処理部で焦点評価値が求められるごとに）ＡＦ処理部から焦点評価値を取得すると共に、取得した焦点評価値が最大（極大）、即ち、ＡＦエリアの被写体画像のコントラストが最大となるようにフォーカスレンズ群を制御する。例えば、焦点評価値に基づくフォーカスレンズ群の制御方式として山登り方式が一般的に知られており、フォーカスレンズ群を焦点評価値が増加する方向に移動させて行き、焦点評価値が減少し始める点を検出すると、その位置にフォーカスレンズ群を設定する。これにより、ＡＦ枠内の被写体に自動でピントが合わせられる。
【００４１】
なお、カメラ本体１２及びレンズ装置１４には、それぞれ被写体側から見やすい場所に、テレビカメラ１０が撮影動作（ＯＮ  ＡＩＲ）中であることを知らせるタリーランプ１２ａ及び１４ａが設けられている。
【００４２】
また、カメラ本体１２及びレンズ装置１４は、それぞれに設けられたシリアル通信インターフェイス（ＳＣＩ）１２ｂ及び１４ｂとを介して様々な情報の送受信を行うようになっている。また、レンズ装置１４のＡＦユニット２６と、後述する画像処理ユニット１８のメインボード３０とは、それぞれに設けられたシリアル通信インターフェイス２６ａ及び３０ａとの間で様々な情報の送受信を行うようになっている。
【００４３】
カメラ本体１２から出力されたＨＤＴＶ信号は、ダウンコンバータ２８によって、標準テレビ［ＮＴＳＣ（National Television System Committee)]方式の映像信号（ＳＤＴＶ信号）に変換（ダウンコンバート）されて、画像処理ユニット１８に入力されるようになっている。
【００４４】
画像処理ユニット１８は、撮像された被写体画像中の被写体人物について顔認証を行い、それが予め登録された、例えばタレントやスポーツ選手等の被写体画像の顔と合致した場合、その被写体人物を追尾したり、オートフォーカスさせたりするものである。特に、画像処理ユニット１８が、撮像された被写体画像中の被写体人物の顔認証を行った結果、それが予め登録されていたカメラマンであった場合には、予めメモリに登録されていたそのカメラマンが担当する撮影対象のデータやカメラマン固有の操作特性を示すデータを呼び出すようにする。
【００４５】
このように顔認証を行い、被写体１６が予めメモリに登録されている顔と一致するか否か判定するためには、ＨＤＴＶ信号による高精細な画像である必要はなく、標準テレビ方式の映像信号（ＳＤＴＶ信号）の画像で充分であるので、カメラ本体１２から出力されたＨＤＴＶ信号をダウンコンバータ２８によってＳＤＴＶ信号に変換するものである。
【００４６】
画像処理ユニット１８は、各処理を行うブロックがそれぞれ別のボードに構成されており、メインボード３０、認証処理演算ボード３２、及び顔認証データカード３４を有している。
【００４７】
メインボード３０は、デコーダ（Ａ／Ｄ変換器）３６、ＣＰＵ３８、ＲＡＭ４０、スーパーインポーザ４２を有して構成されている。また、メインボード３０は、シリアル通信インターフェイス３０ａ、３０ｂを有している。シリアル通信インターフェイス３０ａは、上述したようにレンズ装置１４のＡＦユニット２６のシリアル通信インターフェイス２６ａとデータ通信を行う。また、シリアル通信インターフェイス３０ｂは、雲台２２のダンパー２３に対して制御信号を送るようになっている。
【００４８】
上述したように、カメラ本体１２から出力されたＨＤＴＶ信号はダウンコンバータ２８によってＳＤＴＶ信号に変換されて画像処理ユニット１８に入力されるが、デコーダ（Ａ／Ｄ変換器）３６は、このＳＤＴＶ信号に変換されたアナログデータの映像信号を、画像処理ユニット１８における顔認証処理のためにデジタルデータに変換するものである。
【００４９】
ＣＰＵ３８は、画像処理ユニット１８全体の制御を行うものである。また、ＣＰＵ３８は、予めメモリ（記憶装置）に登録されていた、そのカメラマンが担当する撮影対象のデータやそのカメラマン固有の操作特性を示す情報を、撮影時に利用するためにメモリから呼び出して、システム内のメモリＲＡＭ４０に展開する。
【００５０】
また、スーパーインポーザ４２は、登録された撮影対象のデータやカメラマンの操作特性に関する情報等を、後述する操作部２０の表示画面に表示される画像に重ねて表示するためのものである。
【００５１】
認証処理演算ボード３２は、認証処理を実行するＣＰＵ３２ａと表示用の画像を保持しているＶＲＡＭ３２ｂを有している。
【００５２】
操作部２０は、タッチパネル付きのＬＣＤ（液晶表示画面）で構成され、このＬＣＤの表示画面に表示されるデータはＮＴＳＣ／ＰＡＬ（コンポジット）信号である。
【００５３】
操作者（カメラマン）は、操作部２０のタッチパネル式の表示画面により、モードを選択する。モードには、カメラマンの顔認証をしてデータを呼び出すモードや撮影対象の顔認証をして追尾するモードなどがある。追尾モードの場合には、さらにタッチパネル式表示画面から追尾対象を選択する。
【００５４】
データ呼び出しモードの場合には、カメラマンはテレビカメラ１０の前に被写体１６として立って自分自身を撮影する。撮影されたカメラマンの画像は上述したように、カメラ本体１２から出力されダウンコンバータ２８によって変換され、画像処理ユニット１８に入力され、デコーダ３６でデジタルデータに変換されて認証処理演算ボード３２に送られる。そして認証処理演算ボード３２において、予め登録されていたカメラマンの顔画像データとの間で顔認証が行われる。
【００５５】
認証処理演算ボード３２における顔認証は、公知の顔認証技術によって行われる。例えば、撮像された被写体に対して所定のアルゴリズムに従って特徴点を抽出する。抽出される特徴点としては、人物の眼、瞳、眉、鼻、口、耳などの輪郭やその向き、位置、大きさ等があり、さらに髪型や髭、眼鏡の有無などがある。これらを登録されているデータと比較することにより同一人物であるか否かが認証される。
【００５６】
この顔認証により、撮影された被写体画像がそのカメラマンであることが認定されると、予めメモリに登録されていた各撮影対象者のデータやそのカメラマン特有のカメラ操作特性のデータがシステム上のＲＡＭ４０等のメモリに展開され、以後、番組の撮影で用いられる。
【００５７】
撮影対象者のデータは例えば撮影された被写体画像との顔認証のために認証処理演算ボード３２に送られる。また、カメラマン特有のカメラ操作特性データは、シリアル通信インターフェイス３０ａ、３０ｂを介してＡＦユニット２６や雲台２２のダンパー２３に送信され、カメラマンのカメラ操作に従い、上で呼び出されたカメラ操作特性データに基づいてこれらの部品が制御される。
【００５８】
図２に、操作部２０のタッチパネル付きＬＣＤで構成された表示画面の表示例を示す。
【００５９】
図２（ａ）は、操作者がモードの選択等を行うための表示である。ここで、例えば操作者（カメラマン）が、まず自分自身をカメラに認識させるためにデータ呼び出しモードを選択すると、レンズ装置１４は、ズーム、フォーカスを顔認証に適当な位置に自動的に設定し、撮影距離が表示画面に表示される。そこで、カメラマンが、図１に示す被写体１６のようにテレビカメラ１０の前の指定された撮影距離の位置に立つと、テレビカメラ１０によってカメラマンの撮影が行われる。
【００６０】
そして前述したようにカメラマンの顔認証が行われる。カメラマンが登録されたカメラマンと合致した場合には、カメラ本体１２またはレンズ装置１４に設置されたタリーランプ１２ａまたは１４ａを一定時間点灯または点滅してカメラマンに通知する。このとき点灯時間や点灯する際の明るさ等に特徴を持たせてカメラマンに顔認証の合致がわかり易くすることが好ましい。タリーランプ１２ａまたは１４ａの点灯によりカメラマンは自分がシステムに認証されたことを容易に確認することができる。
【００６１】
カメラマンが認証されると、そのカメラマンの担当する撮影対象者のデータ等が予め登録されていたがメモリから呼び出されてＲＡＭ４０に展開される。
【００６２】
撮影対象者の顔データは多くの人数分が登録されており、その中からその番組の撮影で必要な人数分を事前に呼び出して使用するのであるが、呼び出しを簡単にするために、カメラマンの顔認証を行い、そのカメラマンが必要とする撮影対象者の顔データのみを自動的に呼び出してＲＡＭ４０に展開するものである。
【００６３】
このとき登録されている全てのデータを最初に呼び出してしまうと顔認証処理において合致判断が遅くなり、似た人物と誤ってしまう可能性が高くなる。そこで、複数の撮影対象者をいくつかの群に分けておき、カメラマンの合致で複数のデータ群を呼び出して、表示画面に表示し、操作部２０からの操作でそこから１群を選択するようにすると効率的である。
【００６４】
図２（ｂ）は、このように表示画面に複数の撮影対象者の複数のデータ群を表示した様子を示す。図２（ｂ）に示すように、表示画面の上部に「カメラマンＡ氏と認証」したことが表示され、カメラマンＡに対する撮影対象者データとして選択可能なデータ群が下方にＡ１、Ａ２、Ａ３と示されている。また、そのデータ群の右側には機器設定データＡとして、例えばレンズ操作特性とか、雲台２２のダンパー２３の特性等のカメラマンＡに対してカスタマイズされたデータが表示される。
【００６５】
次に、本実施形態の作用について説明する。
【００６６】
図３は、本実施形態の作用を示すフローチャートである。
【００６７】
まず、図３のステップＳ１００において、操作者は操作部２０を介してモードを選択する。ここでは、図２（ａ）に示すように、データ呼出しモードが選択されている。
【００６８】
データ呼出しモードが選択されると、画像処理ユニット１８のＣＰＵ３８は、このとき使用しているレンズの緒元に基づいて、顔認証用の画像を撮影するのに適当なズーム、フォーカス位置を設定し、操作部２０の表示画面に撮影距離を表示する。
【００６９】
ステップＳ１１０において、操作者（カメラマン）は、表示画面に示された撮影距離の位置までテレビカメラ１０から離れて顔をテレビカメラ１０に向けて撮影が行われる。
【００７０】
次に、ステップＳ１２０において、撮影されたカメラマンの顔画像が画像処理ユニット１８に入力され、顔認証処理が行われる。顔認証の結果、撮影されたカメラマンの顔画像が、予め登録されているカメラマンの顔と合致した場合には、登録されているカメラマンであることが認定されたことを示すためにカメラ本体１２及びレンズ装置１４に設置されているタリーランプ１２ａ、１４ａが点灯される。
【００７１】
次に、ステップＳ１３０において、認定されたカメラマンが担当する撮影対象者のデータ及びそのカメラマン特有のカメラ操作特性のデータがメモリから呼び出されてＲＡＭ４０に展開される。そして、これらのデータはスーパーインポーザ４２により画像に文字情報が付与されて操作部２０の表示画面に表示される。
【００７２】
次にステップＳ１４０において、番組の撮影が行われる。そして、ステップＳ１５０において、撮影された被写体画像は画像処理ユニット１８に送られて、上で呼び出された撮影対象者のデータに基づいて顔認証処理が行われる。確かに撮影対象者であると認定された場合には、その被写体に対してオートフォーカスされるとともに、追尾モードが選択された場合には、その被写体をオートフォーカスしながら自動追尾する。
【００７３】
なお、撮影にあたりカメラマンは、図２（ｂ）に示すような複数のデータ群Ａ１〜Ａ３の中からあるデータ群を選択する。撮影された被写体画像はカメラ本体１２から出力されダウンコンバータ２８で変換されて画像処理ユニット１８に入力される。被写体画像は、ＲＡＭ４０に展開されている選択されたデータ群の顔データ及び顔認証データカード３４のデータと共に認証処理演算ボード３２に送られて顔認証処理が行われる。そして認証された場合には、カメラ本体１２及びレンズ装置１４のタリーランプ１２ａ、１４ａが点灯される。また、撮影対象であるとの認定がなされない場合には、カメラマンは操作部２０より適宜データ群を切り換えるようにしてもよい。
【００７４】
なお、ステップＳ１２０の顔認証で、撮影されたカメラマンが登録されたカメラマンと一致しない場合には、ステップＳ１３０におけるデータの呼び出しは行われず、そのカメラマンは登録されたデータを用いることはできない。
【００７５】
また、ステップＳ１１０におけるカメラマンの撮影は、上に示した実施形態では、テレビカメラ１０によって行われたが、テレビカメラ１０とは別のカメラで撮影するようにしてもよい。例えば、Ｗｅｂカメラのように、カメラマンの顔の方を向いているカメラをテレビカメラ１０に設置して、テレビカメラ１０を操作するカメラマンを撮影するようにしてもよい。
【００７６】
この場合にも、この別のカメラでカメラマンを撮影した顔画像は画像処理ユニット１８に入力されて、上と同様にして顔認証が行われる。
【００７７】
以上、本発明の顔認証機能を備えたビデオカメラシステムについて詳細に説明したが、本発明は、以上の例には限定されず、本発明の要旨を逸脱しない範囲において、各種の改良や変形を行ってもよいのはもちろんである。
【図面の簡単な説明】
【００７８】
【図１】本発明に係る顔認証機能を備えたビデオカメラシステムの全体構成を示したブロック図である。
【図２】操作部のタッチパネル付きＬＣＤで構成された表示画面の表示例を示す説明図であり、（ａ）はモードの選択等を行うための表示画面の例であり、（ｂ）は複数の撮影対象者のデータ群を表示した例である。
【図３】本実施形態の作用を示すフローチャートである。
【符号の説明】
【００７９】
１…ビデオカメラシステム、１０…テレビカメラ、１２…カメラ本体、１４…レンズ装置、１６…被写体、１８…画像処理ユニット、２０…操作部、２２…雲台、２３…（雲台の）ダンパー、２４…撮影レンズ、２６…ＡＦユニット、３０…メインボード、３２…認証処理演算ボード、３４…顔認証データカード、３６…デコーダ、３８…ＣＰＵ、４０…ＲＡＭ、４２…スーパーインポーザ
【図１】
2010081538.tif 000003
【図２】
2010081538.tif 000004
【図３】
2010081538.tif 000005